(57)【要約】【課題】  緊急呼に対する発信者位置情報通知機能を提供していない移動網のシステムに対して大きな変更を加えることなく、発信者位置情報通知機能を実現可能な移動体通信システムを提供する。【解決手段】  ＵＥ５は緊急呼接続要求メッセージを、Ａ網１００の無線ネットワーク制御装置であるＲＮＣ−Ａ１に対して送信する。ＲＮＣ−Ａ１はそのメッセージに設定されたパラメータによって緊急呼であることを確認し、十分な精度の発信者位置情報通知機能を有するＢ網２００へのリダイレクトを指示するパラメータを設定した呼接続拒否メッセージをＵＥ５に返す。このメッセージによって、ＵＥ５は呼接続拒否メッセージに設定されたパラメータを用いて、Ｂ網２００の無線ネットワーク制御装置であるＲＮＣ−Ｂ２に対して緊急呼接続要求メッセージを送信し、Ｂ網２００にて緊急呼接続を確立する。【選択図】      図１
2007134841.tif 000002
【特許請求の範囲】
【請求項１】
移動機からの緊急呼に対して発信者の位置情報を通知する発信者位置情報通知機能を提供していない第１の移動網において前記緊急呼が発生した時に当該呼の確立先を前記第１の移動網から、前記緊急呼に対して前記発信者位置情報通知機能を提供している第２の移動網へとリダイレクトさせる指示を前記移動機に送信制御する制御手段を有することを特徴とする移動体通信システム。
【請求項２】
前記制御手段は、前記第１の移動網内に設けられかつ前記移動機に対して少なくとも回線制御を行う無線ネットワーク制御装置に設けたことを特徴とする請求項１記載の移動体通信システム。
【請求項３】
前記制御手段は、前記第２の移動網へのリダイレクトを指定した接続拒否メッセージを前記移動機に返送制御することを特徴とする請求項２記載の移動体通信システム。
【請求項４】
前記制御手段は、前記第２の移動網にリダイレクトした時にその接続が確立できない場合に前記第１の移動網にて前記緊急呼の接続を確立することを特徴とする請求項２または請求項３記載の移動体通信システム。
【請求項５】
前記無線ネットワーク制御装置は、前記第２の移動網へのリダイレクトを指示した移動機の識別情報を保持するテーブルを含み、
前記制御手段は、前記テーブルの内容に基づいて前記移動機からの緊急呼が前記第２の移動網へのリダイレクトに失敗した呼か否かを判定することを特徴とする請求項２から請求項４のいずれか記載の移動体通信システム。
【請求項６】
移動機からの緊急呼に対して発信者の位置情報を通知する発信者位置情報通知機能を提供していない第１の移動網内に設けられかつ前記移動機に対して少なくとも回線制御を行う無線ネットワーク制御装置であって、
前記第１の移動網において前記緊急呼が発生した時に当該呼の確立先を前記第１の移動網から、前記緊急呼に対して前記発信者位置情報通知機能を提供している第２の移動網へとリダイレクトさせる指示を前記移動機に送信制御する制御手段を有することを特徴とする無線ネットワーク制御装置。
【請求項７】
前記制御手段は、前記第２の移動網へのリダイレクトを指定した接続拒否メッセージを前記移動機に返送制御することを特徴とする請求項６記載の無線ネットワーク制御装置。
【請求項８】
前記制御手段は、前記第２の移動網にリダイレクトした時にその接続が確立できない場合に前記第１の移動網にて前記緊急呼の接続を確立することを特徴とする請求項６または請求項７記載の無線ネットワーク制御装置。
【請求項９】
前記第２の移動網へのリダイレクトを指示した移動機の識別情報を保持するテーブルを含み、
前記制御手段は、前記テーブルの内容に基づいて前記移動機からの緊急呼が前記第２の移動網へのリダイレクトに失敗した呼か否かを判定することを特徴とする請求項６から請求項８のいずれか記載の無線ネットワーク制御装置。
【請求項１０】
移動機からの緊急呼に対して発信者の位置情報を通知する発信者位置情報通知機能を提供していない第１の移動網内に設けられかつ前記移動機に対して少なくとも回線制御を行う無線ネットワーク制御装置に用いられる発信者位置情報通知機能の実現方法であって、
前記無線ネットワーク制御装置が、前記第１の移動網において前記緊急呼が発生した時に当該呼の確立先を前記第１の移動網から、前記緊急呼に対して前記発信者位置情報通知機能を提供している第２の移動網へとリダイレクトさせる指示を前記移動機に送信制御する処理を実行することを特徴とする発信者位置情報通知機能の実現方法。
【請求項１１】
前記無線ネットワーク制御装置が、前記第２の移動網へのリダイレクトを指定した接続拒否メッセージを前記移動機に返送制御することを特徴とする請求項１０記載の発信者位置情報通知機能の実現方法。
【請求項１２】
前記無線ネットワーク制御装置が、前記第２の移動網にリダイレクトした時にその接続が確立できない場合に前記第１の移動網にて前記緊急呼の接続を確立することを特徴とする請求項１０または請求項１１記載の発信者位置情報通知機能の実現方法。
【請求項１３】
前記無線ネットワーク制御装置が、前記第２の移動網へのリダイレクトを指示した移動機の識別情報を保持するテーブルの内容に基づいて前記移動機からの緊急呼が前記第２の移動網へのリダイレクトに失敗した呼か否かを判定することを特徴とする請求項１０から請求項１２のいずれか記載の発信者位置情報通知機能の実現方法。
【請求項１４】
移動機からの緊急呼に対して発信者の位置情報を通知する発信者位置情報通知機能を提供していない第１の移動網内に設けられかつ前記移動機に対して少なくとも回線制御を行う無線ネットワーク制御装置に用いられる発信者位置情報通知機能の実現方法のプログラムであって、前記無線ネットワーク制御装置のコンピュータに、前記第１の移動網において前記緊急呼が発生した時に当該呼の確立先を前記第１の移動網から、前記緊急呼に対して前記発信者位置情報通知機能を提供している第２の移動網へとリダイレクトさせる指示を前記移動機に送信制御する処理を実行させるためのプログラム。
【発明の詳細な説明】
【技術分野】
【０００１】
本発明は移動体通信システム、無線ネットワーク制御装置及びそれらに用いる発信者位置情報通知機能の実現方法並びにそのプログラムに関し、特にＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式等の移動体通信システムにおいて緊急通報を行う際に用いる発信者位置情報通知機能の実現方法に関する。
【背景技術】
【０００２】
近年、携帯電話機からの緊急通報の際に発信者の位置情報を通知する発信者位置情報通知機能の需要が高まっている。標準化団体においても、携帯電話機の位置特定に関して、測位方式等の標準化が行われている。
【０００３】
例えば、Ｗ−ＣＤＭＡ方式の標準を定めている３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）では、Ｃｅｌｌ  ＩＤ（ＩＤｅｎｔｉｆｉｅｒ）ベースの測位方式（例えば、非特許文献１参照）、３基以上の基地局からの同期信号について端末が受信した到着時刻の差分を利用するＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）と呼ばれる測位方式（例えば、非特許文献１参照）、ＧＰＳ（Ｇｌｏｂａｌ  Ｐｏｓｉｔｉｏｎｉｎｇ  Ｓｙｓｔｅｍ）を用いた測位方式の３つの方式が定義されている。
【０００４】
【非特許文献１】“Ｓｔａｇｅ  ２  ｆｕｎｃｔｉｏｎａｌ  ｓｐｅｃｉｆｉｃａｔｉｏｎ  ｏｆ  Ｕｓｅｒ  Ｅｑｕｉｐｍｅｎｔ（ＵＥ）  ｐｏｓｉｔｉｏｎｉｎｇ  ＵＴＲＡＮ  ４  Ｍａｉｎ  ｃｏｎｃｅｐｔｓ  ａｎｄ  ｒｅｑｕｉｒｅｍｅｎｔｓ”［３ＧＰＰ  ＴＳ  ２５．３０５  Ｖ７．１．０（２００５−０９），ｐｐ９−１２］
【発明の開示】
【発明が解決しようとする課題】
【０００５】
しかしながら、上述した従来の発信者位置情報通知機能では、上記の３つの方式が現状のシステムにおいて全て実装されているわけではなく、十分な精度の位置情報を提供できるまでには至っていない。
【０００６】
そこで、本発明の目的は上記の問題点を解消し、緊急呼に対する発信者位置情報通知機能を提供していない移動網のシステムに対して大きな変更を加えることなく、発信者位置情報通知機能を実現することができる移動体通信システム、無線ネットワーク制御装置及びそれらに用いる発信者位置情報通知機能の実現方法並びにそのプログラムを提供することにある。
【課題を解決するための手段】
【０００７】
本発明による移動体通信システムは、移動機からの緊急呼に対して発信者の位置情報を通知する発信者位置情報通知機能を提供していない第１の移動網において前記緊急呼が発生した時に当該呼の確立先を前記第１の移動網から、前記緊急呼に対して前記発信者位置情報通知機能を提供している第２の移動網へとリダイレクトさせる指示を前記移動機に送信制御する制御手段を備えている。
【０００８】
本発明による無線ネットワーク制御装置は、移動機からの緊急呼に対して発信者の位置情報を通知する発信者位置情報通知機能を提供していない第１の移動網内に設けられかつ前記移動機に対して少なくとも回線制御を行う無線ネットワーク制御装置であって、
前記第１の移動網において前記緊急呼が発生した時に当該呼の確立先を前記第１の移動網から、前記緊急呼に対して前記発信者位置情報通知機能を提供している第２の移動網へとリダイレクトさせる指示を前記移動機に送信制御する制御手段を備えている。
【０００９】
本発明による発信者位置情報通知機能の実現方法は、移動機からの緊急呼に対して発信者の位置情報を通知する発信者位置情報通知機能を提供していない第１の移動網内に設けられかつ前記移動機に対して少なくとも回線制御を行う無線ネットワーク制御装置に用いられる発信者位置情報通知機能の実現方法であって、
前記無線ネットワーク制御装置が、前記第１の移動網において前記緊急呼が発生した時に当該呼の確立先を前記第１の移動網から、前記緊急呼に対して前記発信者位置情報通知機能を提供している第２の移動網へとリダイレクトさせる指示を前記移動機に送信制御する処理を実行している。
【００１０】
本発明による発信者位置情報通知機能の実現方法のプログラムは、移動機からの緊急呼に対して発信者の位置情報を通知する発信者位置情報通知機能を提供していない第１の移動網内に設けられかつ前記移動機に対して少なくとも回線制御を行う無線ネットワーク制御装置に用いられる発信者位置情報通知機能の実現方法のプログラムであって、前記無線ネットワーク制御装置のコンピュータに、前記第１の移動網において前記緊急呼が発生した時に当該呼の確立先を前記第１の移動網から、前記緊急呼に対して前記発信者位置情報通知機能を提供している第２の移動網へとリダイレクトさせる指示を前記移動機に送信制御する処理を実行させている。
【００１１】
すなわち、本発明の移動体通信システムは、緊急呼に対する発信者位置情報通知機能を提供していない移動網において、その網のシステムに対して大きな変更を加えることなく、発信者位置情報通知機能を実現することを可能としている。緊急通報の際に発信者の位置情報を通知する発信者位置情報通知機能については、現在、その導入要求が高まっている。
【００１２】
本発明の移動体通信システムでは、現状において、発信者位置情報通知機能を提供していない、あるいは提供していたとしても満足のいく精度の位置情報を提供することができていない移動網（以下、Ａ網とする）において、高精度な位置情報サービスを提供している既存の移動網（以下、Ｂ網とする）を利用することによって、発信者位置情報通知機能を提供することを特徴としている。
【００１３】
Ａ網のＲＮＣ（Ｒａｄｉｏ  Ｎｅｔｗｏｒｋ  Ｃｏｎｔｒｏｌｌｅｒ：無線ネットワーク制御装置）は、ＵＥ（Ｕｓｅｒ  Ｅｑｕｉｐｍｅｎｔ：利用者端末）からあがってきた緊急呼に対して、呼の確立先をＡ網からＢ網へとリダイレクトさせる。ここで、ＲＮＣは無線基地局に接続され、その無線基地局を通して、ＵＥに対して少なくとも回線制御やハンドオーバ等の制御を行う装置である。
【００１４】
具体的に説明すると、本発明の移動体通信システムでは、ＵＥからの緊急呼接続要求メッセージを受け取ったＲＮＣが、ＵＥに対してＢ網へのリダイレクトを指定した接続拒否メッセージを返し、Ｂ網への接続を確立させる。ここで、Ｂ網での接続が確立できないＵＥが存在する場合を想定し、もしＵＥがＢ網で接続を確立することができず、Ａ網に対して再び接続要求メッセージを送ってきた場合には、通常通り、Ａ網での呼接続を確立できるようにする。この場合、ＵＥはＡ網／Ｂ網のどちらでも動作できる機能を持っているとする。
【００１５】
上記のように、本発明の移動体通信システムでは、高精度な発信者位置情報通知機能を有する既存の移動網（Ｂ網）を利用することで、発信者位置情報通知機能を満足に提供することができない移動網においても、現状のシステムに大きな変更を加えることなく、速やかに発信者位置情報通知機能を提供することが可能となる。
【発明の効果】
【００１６】
本発明は、上記のような構成及び動作とすることで、緊急呼に対する発信者位置情報通知機能を提供していない移動網のシステムに対して大きな変更を加えることなく、発信者位置情報通知機能を実現することができるという効果が得られる。
【発明を実施するための最良の形態】
【００１７】
次に、本発明の実施例について図面を参照して説明する。図１は本発明の一実施例による移動体通信システムの構成を示すブロック図である。図１において、本発明の一実施例による移動体通信システムは発信者位置情報通知機能を提供していない、あるいは提供していたとしても満足のいく精度の位置情報を提供することができていないＡ網１００側に設けられたＲＮＣ（Ｒａｄｉｏ  Ｎｅｔｗｏｒｋ  Ｃｏｎｔｒｏｌｌｅｒ：無線ネットワーク制御装置）−Ａ１及び基地局（Ａ）３と、高精度な位置情報サービスを提供しているＢ網２００側に設けられたＲＮＣ−Ｂ２及び基地局（Ｂ）４と、Ａ網１００／Ｂ網２００のどちらでも動作可能なＵＥ（Ｕｓｅｒ  Ｅｑｕｉｐｍｅｎｔ：利用者端末）５とから構成されている。
【００１８】
尚、図１においては、ＵＥ５がＡ網１００からＢ網２００へと呼の確立先をリダイレクトされている様子を示している。基地局（Ａ）３と基地局（Ｂ）４とは、それぞれＵＥ５と直接無線で交信する装置である。ＲＮＣ−Ａ１及びＲＮＣ−Ｂ２は、それぞれ基地局（Ａ）３、基地局（Ｂ）４を制御し、ＵＥ５と、基地局（Ａ）３または基地局（Ｂ）４と、ＲＮＣ−Ａ１またはＲＮＣ−Ｂ２とによって上位のノード（ＣＮ：Ｃｏｒｅ  Ｎｅｔｗｏｒｋ）との間の通信を制御する装置である。図１では、Ａ網１００及びＢ網２００におけるＣＮの図示を省略している。
【００１９】
本実施例では、図１に示すように、現状では発信者位置情報通知機能を提供していない、あるいは提供していたとしても満足のいく精度の位置情報を提供することができていない移動網であるＡ網１００と、高精度な位置情報サービスを提供している移動網であるＢ網２００とがともに動作している環境を前提条件としている。その上で、ＵＥ５がＡ網１００に対して緊急呼を発信してきた場合に対する処理について説明する。
【００２０】
図２は図１のＲＮＣ−Ａ１の構成を示すブロック図である。図２において、ＲＮＣ−Ａ１は装置内の各部の動作を制御するＣＰＵ（中央処理装置）１１と、ＣＰＵ１１が実行する制御プログラム１２ａを格納するメインメモリ１２と、ＣＰＵ１１が制御プログラム１２ａを実行する際に作業領域として使用する記憶装置１３と、ＣＮや基地局（Ａ）３との通信を制御する通信制御部１４とから構成されている。
【００２１】
記憶装置１３にはＵＥ５のＵＥＩＤ（ＵＥ  ＩＤｅｎｔｉｆｉｅｒ）（ＵＥ５の識別子）を格納するＵＥＩＤテーブル１３１と、リダイレクト先の情報を保持するリダイレクト先情報保持領域１３２とを備えている。尚、ＣＰＵ１１、メインメモリ１２、記憶装置１３、通信制御部１４各々は内部バス１１０に接続されている。
【００２２】
図３は本発明の一実施例による移動体通信システムの動作を示すシーケンスチャートであり、図４は図１のＲＮＣ−Ａ１の動作を示すフローチャートである。これら図１〜図４を参照して本発明の一実施例による移動体通信システムの動作について説明する。尚、図４に示す処理動作はＲＮＣ−Ａ１のＣＰＵ１１が制御プログラム１２ａを実行することで実現される。以下、ＵＥ５がＡ網１００に対して緊急呼発信を行った後、システムが緊急呼をＢ網２００へリダイレクトする動作について述べる。
【００２３】
まず、ＵＥ５は緊急呼接続要求メッセージを、Ａ網１００の無線ネットワーク制御装置であるＲＮＣ−Ａ１に対して送信する（図３のａ１参照）。ＲＮＣ−Ａ１はそのメッセージに設定されたパラメータによって、接続を要求している呼が緊急呼であることを確認する。そこで、ＲＮＣ−Ａ１は、十分な精度の発信者位置情報通知機能を有するＢ網２００へのリダイレクトを指示するパラメータを設定した呼接続拒否メッセージをＵＥ５に返す（図３のａ２参照）。このメッセージによって、ＵＥ５は呼接続拒否メッセージに設定されたパラメータを用いて、Ｂ網２００の無線ネットワーク制御装置であるＲＮＣ−Ｂ２に対して緊急呼接続要求メッセージを送信し（図３のａ３参照）、Ｂ網２００にて緊急呼接続を確立する。
【００２４】
ＵＥ５がＢ網２００での緊急呼接続の確立に失敗した場合に（ＵＥ５がＢ網２００の利用可能範囲外にある場合、あるいはＢ網２００が動作していない場合）、ＵＥ５が、再度、Ａ網１００にて緊急呼接続要求メッセージをあげてくる場合がある。この場合、ＲＮＣ−Ａ１は再びＢ網２００へリダイレクトするよう呼接続拒否メッセージを送ってしまい、ＵＥ５はＡ網１００／Ｂ網２００のどちらの網でも全く接続の確立ができない状態に陥る。
【００２５】
そこで、ＲＮＣ−Ａ１は図４に示す処理動作を行うこととする。まず、ＲＮＣ−Ａ１は呼接続要求メッセージのパラメータとして設定されているＵＥＩＤについて、最後に受信したものを最大１５個までＵＥＩＤテーブル１３１に保存しておくものとする。
【００２６】
ＲＮＣ−Ａ１は緊急呼接続要求メッセージを受信した際に（図４ステップＳ１，Ｓ２）、そのメッセージに設定されているＵＥＩＤに一致するＵＥＩＤがＵＥＩＤテーブル１３１に保存されていた場合（図４ステップＳ４）、同じＵＥ５による緊急呼接続の再要求であると判断し、呼をＢ網２００にリダイレクトせず、Ａ網１００で呼接続を確立することとする（図４ステップＳ５）。
【００２７】
その際、ＲＮＣ−Ａ１は位置情報の通知は行えない、もしくは満足いく精度の位置情報を通知できないことになるが、緊急呼を確立することが全くできない状態を避けなければならないため、上記の通常の呼接続処理を行う。このＡ網１００での呼接続確立が成功したら、ＵＥＩＤテーブル１３１に保存していたＵＥＩＤを削除する。
【００２８】
また、ＲＮＣ−Ａ１は緊急呼以外の呼接続要求メッセージを受信した際に（図４ステップＳ１，Ｓ２）、通常の呼接続処理を行う（図４ステップＳ３）。さらに、ＲＮＣ−Ａ１は緊急呼接続要求メッセージを受信した際に（図４ステップＳ１，Ｓ２）、そのメッセージに設定されているＵＥＩＤに一致するＵＥＩＤがＵＥＩＤテーブル１３１に保存されていない場合（図４ステップＳ４）、上述したように、発信者位置情報通知機能を有するＢ網２００をリダイレクト先として呼接続拒否メッセージをＵＥ５に返す（図４ステップＳ６）。
【００２９】
この場合、ＲＮＣ−Ａ１はＵＥＩＤテーブル１３１に１５個のＵＥＩＤがすでに保存されていなければ（図４ステップＳ７）、ＵＥ５のＵＥＩＤをＵＥＩＤテーブル１３１に保存する（図４ステップＳ９）。また、ＲＮＣ−Ａ１はＵＥＩＤテーブル１３１に１５個のＵＥＩＤがすでに保存されていれば（図４ステップＳ７）、最も古いＵＥＩＤをＵＥＩＤテーブル１３１から削除し（図４ステップＳ８）、ＵＥ５のＵＥＩＤをＵＥＩＤテーブル１３１に保存する（図４ステップＳ９）。
【００３０】
上記のように、本実施例では、現状では発信者位置情報通知機能を満足に提供できていない移動網Ａにおいて発信された緊急呼に対しても、発信者位置情報通知機能を提供することが可能となる。
【００３１】
このように、本実施例では、高精度な発信者位置情報通知機能を有する既存の移動網（Ｂ網）を利用することで、発信者位置情報通知機能を満足に提供できていない移動網（Ａ網）において発信された緊急呼に対しても、現状のシステムに大きな変更を加えることなく、速やかに発信者位置情報通知機能を提供することができる。
【図面の簡単な説明】
【００３２】
【図１】本発明の一実施例による移動体通信システムの構成を示すブロック図である。
【図２】図１のＲＮＣ−Ａの構成を示すブロック図である。
【図３】本発明の一実施例による移動体通信システムの動作を示すシーケンスチャートである。
【図４】図１のＲＮＣ−Ａの動作を示すフローチャートである。
【符号の説明】
【００３３】
１  ＲＮＣ−Ａ
２  ＲＮＣ−Ｂ
３  基地局（Ａ）
４  基地局（Ｂ）
５  ＵＥ
１１  ＣＰＵ
１２  メインメモリ
１２ａ  制御プログラム
１３  記憶装置
１４  通信制御部
１００  Ａ網
１１０  内部バス
１３１  ＵＥＩＤテーブル
１３２  リダイレクト先情報保持領域
２００  Ｂ網
【図１】
2007134841.tif 000003
【図２】
2007134841.tif 000004
【図３】
2007134841.tif 000005
【図４】
2007134841.tif 000006